(57)【要約】【課題】  映像に所望の検索ワードが含まれることを効率的に検索する。【解決手段】  映像データに含まれる音声を認識して複数の単語データが抽出され、抽出された複数の単語データがそれぞれメタデータと対応されて、単語データ記憶部に記憶される。ユーザから所望の検索ワードの入力が受付けられ（Ｓ１２１）、単語データ記憶部に記憶された複数の単語データが検索され（Ｓ１２２）、受付けられた所望の検索ワードが含まれるか否かが判定され（Ｓ１２３）、含まれると判定された場合、その旨がユーザに報知するために出力される（Ｓ１２６，１４３）。その旨として、所望の検索ワードが含まれる位置に対応する映像データの部分の静止画像がユーザに報知するために出力される（Ｓ１２６，１４３）。出力された静止画像の選択がユーザから受付けられ（Ｓ１５１）、選択された静止画像の所定時間前から映像データで示される映像が再生される（Ｓ１５２）。【選択図】        図３
2007013320.tif 000002
【特許請求の範囲】
【請求項１】
映像データに含まれる音声を認識して複数の単語データを抽出する音声認識手段と、
前記音声認識手段によって抽出された前記複数の単語データをそれぞれ、前記単語データが含まれる前記映像データ内の時間を特定可能な時間データを含むメタデータと対応させて記憶する単語データ記憶手段と、
ユーザから所望の単語データの入力を受付ける単語データ受付手段と、
前記単語データ記憶手段に記憶された前記複数の単語データを検索して、前記単語データ受付手段によって受付けられた前記所望の単語データが含まれるか否かを判定する単語データ検索手段と、
前記単語データ検索手段によって前記所望の単語データが含まれると判定された場合、前記所望の単語データに対応するメタデータおよび前記所望の単語データが含まれる位置に対応する前記映像データの部分の静止画像をユーザに報知するために出力する検索結果出力手段と、
ユーザから前記検索結果出力手段によって出力された静止画像またはメタデータの選択を受付ける映像選択手段と、
前記映像選択手段によって選択された静止画像またはメタデータに対応する静止画像の所定時間前から前記映像データで示される映像を再生する映像再生手段とを備える、映像記録装置。
【請求項２】
映像データを複数記憶する映像記憶手段と、
前記映像記憶手段に記憶された映像データに含まれる音声を認識して複数の単語データを抽出する音声認識手段と、
前記音声認識手段によって抽出された前記複数の単語データをそれぞれ、前記単語データが含まれる前記映像データ内の時間を特定可能な時間データおよび前記単語データが含まれる前記映像データを識別可能な映像識別データを含むメタデータと対応させて記憶する単語データ記憶手段と、
ユーザから所望の単語データの入力を受付ける単語データ受付手段と、
前記単語データ記憶手段に記憶された前記複数の単語データを検索して、前記単語データ受付手段によって受付けられた前記所望の単語データが含まれるか否かを判定する単語データ検索手段と、
前記単語データ検索手段によって前記所望の単語データが含まれると判定された場合、前記所望の単語データに対応して前記単語データ記憶手段に記憶されているメタデータに含まれる映像識別データをユーザに報知するために出力する第１検索結果出力手段と、
ユーザから前記第１検索結果出力手段によって出力された映像識別データの選択を受付ける映像識別データ選択手段と、
前記映像識別データ選択手段によって選択された映像識別データが含まれるメタデータと対応して前記単語データ記憶手段に記憶されている前記所望の単語データに対応するメタデータおよび前記所望の単語データが含まれる位置に対応する前記映像データの部分の静止画像をユーザに報知するために出力する第２検索結果出力手段と、
ユーザから前記第２検索結果出力手段によって出力された静止画像またはメタデータの選択を受付ける映像選択手段と、
前記映像選択手段によって選択された静止画像またはメタデータに対応する静止画像の所定時間前から前記映像データで示される映像を再生する映像再生手段とを備える、映像記録装置。
【請求項３】
音声付コンテンツデータに含まれる音声を認識して複数の単語情報を抽出する音声認識手段と、
前記音声認識手段によって抽出された前記複数の単語情報をそれぞれ、メタデータと対応させて記憶する単語情報記憶手段と、
ユーザから所望の単語情報の入力を受付ける単語情報受付手段と、
前記単語情報記憶手段に記憶された前記複数の単語情報を検索して、前記単語情報受付手段によって受付けられた前記所望の単語情報が含まれるか否かを判定する単語情報検索手段と、
前記単語情報検索手段によって前記所望の単語情報が含まれると判定された場合、前記所望の単語情報が含まれる旨をユーザに報知するために出力する検索結果出力手段とを備える、コンテンツ記録装置。
【請求項４】
前記メタデータは、前記単語情報が含まれる前記音声付コンテンツデータ内の位置を特定可能な位置情報を含む、請求項３に記載のコンテンツ記録装置。
【請求項５】
前記メタデータは、前記単語情報が含まれる前記音声付コンテンツデータ内の時間を特定可能な時間情報を含む、請求項３に記載のコンテンツ記録装置。
【請求項６】
前記検索結果出力手段は、前記所望の単語情報が含まれる旨として、前記所望の単語情報に対応するメタデータをユーザに報知するために出力する、請求項３から請求項５までのいずれかに記載のコンテンツ記録装置。
【請求項７】
前記検索結果出力手段は、前記所望の単語情報が含まれる旨として、前記所望の単語情報が含まれる位置に対応する前記音声付コンテンツデータの部分のコンテンツをユーザに報知するために出力する、請求項３から請求項６までのいずれかに記載のコンテンツ記録装置。
【請求項８】
前記音声付コンテンツデータは、映像データであり、
前記検索結果出力手段は、前記コンテンツとして、前記所望の単語情報が含まれる位置に対応する前記映像データの部分の静止画像をユーザに報知するために出力し、
ユーザから前記検索結果出力手段によって出力された静止画像の選択を受付けるコンテンツ選択手段と、
前記コンテンツ選択手段によって選択された静止画像の所定時間前から前記映像データで示される映像を再生するコンテンツ再生手段をさらに備える、請求項７に記載のコンテンツ記録装置。
【請求項９】
前記音声付コンテンツデータを複数記憶するコンテンツ記憶手段をさらに備え、
前記メタデータは、前記単語情報が含まれる前記音声付コンテンツデータを識別可能なコンテンツ識別情報を含み、
前記検索結果出力手段は、前記所望の単語情報が含まれる旨として、前記所望の単語情報に対応して前記単語情報記憶手段に記憶されているメタデータに含まれるコンテンツ識別情報をユーザに報知するために出力する、請求項３から請求項８までのいずれかに記載のコンテンツ記録装置。
【請求項１０】
ユーザから前記検索結果出力手段によって出力されたコンテンツ識別情報の選択を受付けるコンテンツ識別情報選択手段をさらに備え、
前記検索結果出力手段は、前記コンテンツ識別情報選択手段によって選択されたコンテンツ識別情報が含まれるメタデータと対応して前記単語情報記憶手段に記憶されている所望の単語情報に対応するメタデータをさらにユーザに報知するために出力する、請求項９に記載のコンテンツ記録装置。
【請求項１１】
所定の情報を記憶する記憶手段を備えたコンテンツ記録装置で実行されるコンテンツ検索制御方法であって、
音声付コンテンツデータに含まれる音声を認識して複数の単語情報を抽出するステップと、
抽出された前記複数の単語情報をそれぞれ、メタデータと対応させて前記記憶手段に記憶させるステップと、
ユーザから所望の単語情報の入力を受付けるステップと、
前記記憶手段に記憶された前記複数の単語情報を検索して、受付けられた前記所望の単語情報が含まれるか否かを判定するステップと、
前記所望の単語情報が含まれると判定された場合、前記所望の単語情報が含まれる旨をユーザに報知するために出力するステップとを含む、コンテンツ検索制御方法。
【請求項１２】
所定の情報を記憶する記憶手段を備えたコンテンツ記録装置で実行されるコンテンツ検索プログラムであって、
音声付コンテンツデータに含まれる音声を認識して複数の単語情報を抽出するステップと、
抽出された前記複数の単語情報をそれぞれ、メタデータと対応させて前記記憶手段に記憶させるステップと、
ユーザから所望の単語情報の入力を受付けるステップと、
前記記憶手段に記憶された前記複数の単語情報を検索して、受付けられた前記所望の単語情報が含まれるか否かを判定するステップと、
前記所望の単語情報が含まれると判定された場合、前記所望の単語情報が含まれる旨をユーザに報知するために出力するステップとを前記コンテンツ記録装置に実行させる、コンテンツ検索プログラム。
【発明の詳細な説明】
【技術分野】
【０００１】
本発明は、映像記録装置、コンテンツ記録装置、コンテンツ検索制御方法、および、コンテンツ検索プログラムに関し、特に、コンテンツを検索するのに適した映像記録装置、コンテンツ記録装置、コンテンツ検索制御方法、および、コンテンツ検索プログラムに関する。
【背景技術】
【０００２】
従来から、録画装置において、ＥＰＧデータに基づいて、特定の単語を含む番組情報を検索し、その検索結果を録画予約に利用することが行なわれている。
【０００３】
特許文献１には、録画番組特有の音声を検出したとき、その録画シーンを検索するためのインディックス情報を記録し、再生するときはこのインディックス情報を利用して録画シーンの検索を行なう録画シーン検索方法および記録再生装置が開示されている（たとえば、特許文献１の第００４１段落参照）。
【０００４】
また、特許文献２には、メディアコンテンツのセグメントを基にインデックス情報を生成し、指定された検索条件に該当するインデックス情報に対応する第１の記憶手段に記憶されているメディアコンテンツのセグメントを検索し、検索されたセグメントの全部又は一部を選択して、保存情報を基に第１の記憶手段から第２の記憶手段にコピーすると共に第１の記憶手段から削除したり、削除情報を基に第１の記憶手段から削除することができるメディアコンテンツ管理システムが開示されている（たとえば、特許文献２の第００８１段落参照）。
【特許文献１】特開２００２−１３３８３７号公報
【特許文献２】特開２００１−２８３５７０号公報
【発明の開示】
【発明が解決しようとする課題】
【０００５】
しかし、特許文献１には、録画シーンの検索を行なう際に、その番組の内容をどのように判断するか、および、その番組の内容に対応する特有な言葉をどのように決定するかが記載されていない。このため、その番組内容に応じた特有な言葉を映像信号からどのように認識するのかが分からない。したがって、特有な言葉を認識したシーンでのタイムコードを予め記憶することができないため、そのタイムコードに従って、注目シーンを自動的に検索することができないといった問題があった。
【０００６】
また、特許文献２に開示されているメディアコンテンツ管理装置は、記憶手段に記憶されている所望のメディアコンテンツを効率的に削除することを課題としている。
【０００７】
この発明は上述の問題点を解決するためになされたもので、この発明の目的の１つは、コンテンツに所望の単語が含まれることを効率的に検索することが可能な映像記録装置、コンテンツ記録装置、コンテンツ検索制御方法、および、コンテンツ検索プログラムを提供することである。
【課題を解決するための手段】
【０００８】
上述した課題を解決するために、この発明のある局面によれば、コンテンツ記録装置は、音声認識部と、単語情報記憶部と、単語情報受付部と、単語情報検索部と、検索結果出力部とを備える。
【０００９】
音声認識部は、音声付コンテンツデータに含まれる音声を認識して複数の単語情報を抽出する。単語情報記憶部は、音声認識部によって抽出された複数の単語情報をそれぞれ、メタデータと対応させて記憶する。単語情報受付部は、ユーザから所望の単語情報の入力を受付ける。単語情報検索部は、単語情報記憶部に記憶された複数の単語情報を検索して、単語情報受付部によって受付けられた所望の単語情報が含まれるか否かを判定する。検索結果出力部は、単語情報検索部によって所望の単語情報が含まれると判定された場合、所望の単語情報が含まれる旨をユーザに報知するために出力する。
【００１０】
好ましくは、メタデータは、単語情報が含まれる音声付コンテンツデータ内の位置を特定可能な位置情報を含む。
【００１１】
好ましくは、メタデータは、単語情報が含まれる音声付コンテンツデータ内の時間を特定可能な時間情報を含む。
【００１２】
好ましくは、検索結果出力部は、所望の単語情報が含まれる旨として、所望の単語情報に対応するメタデータをユーザに報知するために出力する。
【００１３】
好ましくは、検索結果出力部は、所望の単語情報が含まれる旨として、所望の単語情報が含まれる位置に対応する音声付コンテンツデータの部分のコンテンツをユーザに報知するために出力する。
【００１４】
さらに好ましくは、音声付コンテンツデータは、映像データである。検索結果出力部は、コンテンツとして、所望の単語情報が含まれる位置に対応する映像データの部分の静止画像をユーザに報知するために出力する。コンテンツ記録装置は、ユーザから検索結果出力部によって出力された静止画像の選択を受付けるコンテンツ選択部と、コンテンツ選択部によって選択された静止画像の所定時間前から映像データで示される映像を再生するコンテンツ再生部をさらに備える。
【００１５】
好ましくは、コンテンツ記録装置は、音声付コンテンツデータを複数記憶するコンテンツ記憶部をさらに備える。また、メタデータは、単語情報が含まれる音声付コンテンツデータを識別可能なコンテンツ識別情報を含む。また、検索結果出力部は、所望の単語情報が含まれる旨として、所望の単語情報に対応して単語情報記憶部に記憶されているメタデータに含まれるコンテンツ識別情報をユーザに報知するために出力する。
【００１６】
さらに好ましくは、コンテンツ記録装置は、ユーザから検索結果出力部によって出力されたコンテンツ識別情報の選択を受付けるコンテンツ識別情報選択部をさらに備える。また、検索結果出力部は、コンテンツ識別情報選択部によって選択されたコンテンツ識別情報が含まれるメタデータと対応して単語情報記憶部に記憶されている所望の単語情報に対応するメタデータをさらにユーザに報知するために出力する。
【００１７】
この発明の他の局面によれば、コンテンツ検索制御方法は、所定の情報を記憶する記憶部を備えたコンテンツ記録装置で実行される。また、コンテンツ検索制御方法は、音声付コンテンツデータに含まれる音声を認識して複数の単語情報を抽出するステップと、抽出された複数の単語情報をそれぞれ、メタデータと対応させて記憶部に記憶させるステップと、ユーザから所望の単語情報の入力を受付けるステップと、記憶部に記憶された複数の単語情報を検索して、受付けられた所望の単語情報が含まれるか否かを判定するステップと、所望の単語情報が含まれると判定された場合、所望の単語情報が含まれる旨をユーザに報知するために出力するステップとを含む。
【００１８】
この発明のさらに他の局面によれば、コンテンツ検索プログラムは、所定の情報を記憶する記憶部を備えたコンテンツ記録装置で実行される。また、コンテンツ検索プログラムは、音声付コンテンツデータに含まれる音声を認識して複数の単語情報を抽出するステップと、抽出された複数の単語情報をそれぞれ、メタデータと対応させて記憶部に記憶させるステップと、ユーザから所望の単語情報の入力を受付けるステップと、記憶部に記憶された複数の単語情報を検索して、受付けられた所望の単語情報が含まれるか否かを判定するステップと、所望の単語情報が含まれると判定された場合、所望の単語情報が含まれる旨をユーザに報知するために出力するステップとをコンテンツ記録装置に実行させる。
【発明の効果】
【００１９】
この発明に従えば、コンテンツ記録装置によって、音声付コンテンツデータに含まれる音声を認識して複数の単語情報が抽出され、抽出された複数の単語情報がそれぞれメタデータと対応されて記憶される。そして、ユーザから所望の単語情報の入力が受付けられ、記憶された複数の単語情報が検索され、受付けられた所望の単語情報が含まれるか否かが判定され、所望の単語情報が含まれると判定された場合、所望の単語情報が含まれる旨がユーザに報知するために出力される。
【００２０】
このため、ユーザは所望の単語情報を入力するだけで、コンテンツ記録装置によって、所望の単語情報が含まれる旨がユーザに報知するために出力される。その結果、コンテンツに所望の単語が含まれることを効率的に検索することが可能なコンテンツ記録装置を提供することができる。
【００２１】
また、コンテンツ記録装置によって、所望の単語情報が含まれる旨として、所望の単語情報に対応するメタデータがユーザに報知するために出力される。メタデータには、単語情報が含まれる音声付コンテンツデータ内の位置や時間を特定可能な情報が含まれる。
【００２２】
その結果、所望の単語がコンテンツのどの辺りに含まれるかをユーザに知らせることができる。
【００２３】
また、コンテンツ記録装置によって、所望の単語情報が含まれる旨として、所望の単語情報が含まれる位置に対応する音声付コンテンツデータの部分のコンテンツがユーザに報知するために出力される。
【００２４】
その結果、所望の単語が含まれる部分のコンテンツをユーザに分かり易く知らせることができる。
【００２５】
さらにまた、コンテンツ記録装置によって、所望の単語情報が含まれる位置に対応する映像データの部分の静止画像がユーザに報知するために出力され、出力された静止画像の選択がユーザから受付けられ、選択された静止画像の所定時間前から映像データで示される映像が再生される。
【００２６】
その結果、所望の単語が含まれる部分の静止画像をユーザに分かり易く知らせることができるとともに、ユーザが所望の静止画像を選択するだけで、所望の単語が含まれる静止画像の部分の映像を効率よく再生させることができる。
【００２７】
また、コンテンツ記録装置によって、音声付コンテンツデータが複数記憶され、メタデータに含んで、単語情報が含まれる音声付コンテンツデータを識別可能なコンテンツ識別情報が記憶され、所望の単語情報が含まれる旨として、所望の単語情報に対応して記憶されているメタデータに含まれるコンテンツ識別情報がユーザに報知するために出力される。
【００２８】
その結果、複数の音声付コンテンツデータのうちから所望の単語情報が含まれるコンテンツをユーザに分かり易く知らせることができる。
【００２９】
さらにまた、コンテンツ記録装置によって、出力されたコンテンツ識別情報の選択がユーザから受付けられ、選択されたコンテンツ識別情報が含まれるメタデータと対応して記憶されている所望の単語情報に対応するメタデータがさらにユーザに報知するために出力される。
【００３０】
その結果、所望のコンテンツ識別情報の音声付コンテンツデータに含まれる所望の単語情報と対応するメタデータをユーザに分かり易く知らせることができる。
【００３１】
また、コンテンツ検索制御方法によって、音声付コンテンツデータに含まれる音声を認識して複数の単語情報が抽出され、抽出された複数の単語情報がそれぞれメタデータと対応されて記憶部に記憶される。そして、ユーザから所望の単語情報の入力が受付けられ、記憶部に記憶された複数の単語情報が検索され、受付けられた所望の単語情報が含まれるか否かが判定され、所望の単語情報が含まれると判定された場合、所望の単語情報が含まれる旨がユーザに報知するために出力される。
【００３２】
このため、ユーザは所望の単語情報を入力するだけで、コンテンツ検索制御方法によって、所望の単語情報が含まれる旨がユーザに報知するために出力される。その結果、コンテンツに所望の単語が含まれることを効率的に検索することが可能なコンテンツ検索制御方法を提供することができる。
【００３３】
また、コンテンツ検索プログラムによって、音声付コンテンツデータに含まれる音声を認識して複数の単語情報が抽出され、抽出された複数の単語情報がそれぞれメタデータと対応されて記憶部に記憶される。そして、ユーザから所望の単語情報の入力が受付けられ、記憶部に記憶された複数の単語情報が検索され、受付けられた所望の単語情報が含まれるか否かが判定され、所望の単語情報が含まれると判定された場合、所望の単語情報が含まれる旨がユーザに報知するために出力される。
【００３４】
このため、ユーザは所望の単語情報を入力するだけで、コンテンツ検索プログラムによって、所望の単語情報が含まれる旨がユーザに報知するために出力される。その結果、コンテンツに所望の単語が含まれることを効率的に検索することが可能なコンテンツ検索プログラムを提供することができる。
【発明を実施するための最良の形態】
【００３５】
以下、この発明の実施の形態について、図面を参照しながら詳細に説明する。なお、図中の同一または相当部分については、同一符号を付してその説明は繰返さない。
【００３６】
図１は、この発明の実施の形態に従う録画装置１の概略構成図である。
図１を参照して、この発明の第１実施形態に従う録画装置１は、アンテナ３０から放送信号を受信し、リモコン４２から指令信号を受信し、モニタ４０に映像信号および音声信号を出力する。
【００３７】
アンテナ３０は、放送局から電波で送信されてくる放送信号を受信し、録画装置１に供給する。
【００３８】
リモコン４２は、ユーザから所望の操作を受付けて、ユーザによる操作に応じた操作信号を赤外線で録画装置１に送信する。なお、リモコン４２から出力される操作信号は、赤外線に限定されず、無線であってもよい。また、リモコン４２およびリモコン送受信部２６に替えて、または、リモコン４２およびリモコン送受信部２６とともに、放送受信装置１の本体に、ユーザからの操作を受付けて、操作信号を制御部１０に出力する操作受付部を設けるようにしてもよい。
【００３９】
録画装置１は、制御部１０と、チューナ１６と、復調部１８と、デコーダ２２と、リモコン受信部２６と、映像記憶部２４と、単語データ記憶部２８とを含む。
【００４０】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００４１】
チューナ１６は、受信した放送信号の中から、制御部１０からの指令に応じて選択されたチャンネルに対応する放送信号を抽出する。そして、チューナ１６は、抽出した放送信号を復調部１８へ出力する。
【００４２】
復調部１８は、制御部１０によって制御されて、チューナ１６から放送信号を受けて、放送信号を映像および音声がデジタル符号化されたＭＰＥＧ−２ＴＳ（Moving Picture Experts Group phase 2 Transport Stream）信号に復調し、ＭＰＥＧ−２ＴＳ信号をデコーダ２２および映像記憶部２４へ出力する。
【００４３】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。
【００４４】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。
【００４５】
映像記憶部２４は、ハードディスクドライブで構成される。映像記憶部２４は、制御部１０によって制御されて、復調部１８から受けたＭＰＥＧ−２ＴＳ信号を記憶する。映像記憶部２４は、制御部１０によって制御されて、記憶しているＭＰＥＧ−２ＴＳ信号をデコーダ２２へ出力する。
【００４６】
なお、映像記憶部２４に記憶される映像データのフォーマットは、ＭＰＥＧ−２ＴＳ信号に限定されず、ＭＰＥＧ−２ＰＳ（Program Stream）信号であってもよいし、ＭＰＥＧ−４信号であってもよいし、その他の映像フォーマットであってもよい。また、映像記憶部２４は、外部から入力された映像データを記憶するようにしてもよい。
【００４７】
デコーダ２２は、制御部１０によって制御されて、復調部１８または映像記憶部２４から受けたＭＰＥＧ−２ＴＳ信号を映像信号および音声信号に復号する。そして、デコーダ２２は、復号された映像信号および音声信号をモニタ４０へ出力する。
【００４８】
リモコン受信部２６は、リモコン４２からの操作信号を受信して、受信した操作信号を制御部１０へ出力する。
【００４９】
単語データ記憶部２８は、ハードディスクドライブで構成される。制御部１０によりＭＰＥＧ−２ＴＳ信号で示される映像の音声が音声認識されることによって抽出された単語データとその単語データのメタデータとを対応させて記憶する。
【００５０】
制御部１０は、リモコン送受信部２６から受信した操作信号に応じて、チューナ１６、復調部１８、デコーダ２２、映像記憶部２４、および、単語データ記憶部２８を制御する。
【００５１】
モニタ４０は、デコーダ２２からの映像信号および音声信号をそれぞれ映像および音声に変換して、変換された映像および音声をユーザが視聴可能なようにする。
【００５２】
図２は、この発明の実施の形態に従う録画装置１で実行される単語データ抽出処理の流れを示すフローチャートである。
【００５３】
図２を参照して、まず、ステップＳ１０１で、制御部１０は、映像記憶部２４からＭＰＥＧ−２ＴＳ信号で示される映像データを読出す。なお、映像データは、映像記憶部２４に記憶されるとともに読出されるようにしてもよいし、一旦、映像記憶部２４に記憶された後に読出されるようにしてもよい。また、映像データは、映像記憶部２４に記憶されることなく制御部１０によって読出されるようにしてもよい。
【００５４】
次に、ステップＳ１０２で、制御部１０は、ステップＳ１０１で読出した映像データの音声を音声認識する音声認識処理を行なう。この音声認識処理では、音声に含まれる単語を示す単語データが抽出される。音声認識処理としては、たとえば、河原達也、李晃伸、「連続音声認識ソフトウェアＪｕｌｉｕｓ」、［online］、［平成１７年５月２３日検索］、インターネット＜URL:http://julius.sourceforge.jp＞に記載の連続音声認識ソフトウェアＪｕｌｉｕｓを用いることができる。
【００５５】
そして、ステップＳ１０３で、制御部１０は、ステップＳ１０２で抽出した単語データを、メタデータとしてのタイムスタンプと対応させて、単語データ記憶部２８に記憶させる。なお、タイムスタンプは、単語データが含まれる映像データのＭＰＥＧ−２ＴＳ信号から抽出することができる。また、本実施の形態においては、単語データに対応させて、他のメタデータとして、映像データのタイトルや単語の時間長さを示すデータも記憶される。
【００５６】
【表１】
2007013320.tif 000003
【００５７】
表１は、単語データ記憶部２８に記憶されるデータを示す表である。表１を参照して、単語データ記憶部２８には、単語データと対応されて、メタデータであるタイトル、タイムスタンプ、および、単語の時間長さを示すデータが記憶される。たとえば、「サンマ」という単語データと対応されて、タイトルとしての「くりからＴＶ（４ｃｈ）」、タイムスタンプとしての「１時間１６分３４秒」、および、単語の時間長さとしての「３秒」が記憶される。
【００５８】
同様に、「サンマ」「サンマ」「おどる」のそれぞれ対応されて、「くりからＴＶ（４ｃｈ）」「釣り野郎（８ｃｈ）」「踊る大走査線」、「２時間１８分３６秒」「０時間３２分５１秒」「１時間５４分２２秒」、および、「４秒」「３秒」「４秒」が記憶される。
【００５９】
ステップＳ１０３の後、制御部１０は、実行する処理をこの単語データ抽出処理の呼出元の処理に戻す。
【００６０】
図３は、この発明の実施の形態に従う録画装置１で実行され右検索処理の流れを示すフローチャートである。
【００６１】
図３を参照して、まず、ステップＳ１１１で、制御部１０は、検索画面を表示させるための映像信号を外部のモニタ４０に出力させる。
【００６２】
図４は、この発明の実施の形態に従う録画装置１から出力される検索画面の一例を示す第１の表示画面図である。
【００６３】
図４を参照して、ステップＳ１１１で出力される検索画面には、図４で示される検索画面のうちの「検索ワード」という文字と、その文字の右側の検索ワード入力欄とが含まれる。
【００６４】
図３に戻って、ステップＳ１２１で、制御部１０は、ユーザによって検索ワードが入力されたか否かを判断する。検索ワードは、ユーザがリモコン４２を操作することによって入力される。
【００６５】
図４に進んで、検索ワードが入力されると、検索ワード入力欄に、入力された単語が表示される。ここでは、「サンマ」という単語が入力されて、検索ワード入力欄に「サンマ」という単語が表示される。
【００６６】
図３に戻って、検索ワードが入力されていないと判断した場合（ステップＳ１２１でＮＯの場合）、制御部１０は、ステップＳ１２１を繰返す。一方、検索ワードが入力されたと判断した場合（ステップＳ１２１でＹＥＳの場合）、ステップＳ１２２で、制御部１０は、入力された検索ワードを、単語データ記憶部２８に記憶された単語データの中から検索する。
【００６７】
そして、ステップＳ１２３で、制御部１０は、ステップＳ１２２で検索ワードを検索した結果に基づいて、検索ワードに一致する単語データがあるか否かを判断する。一致データがないと判断した場合（ステップＳ１２３でＮＯの場合）、制御部１０は、実行する処理をこの検索処理の呼出元の処理に戻す。
【００６８】
一方、一致データがあると判断した場合（ステップＳ１２３でＹＥＳの場合）、ステップＳ１２４で、制御部１０は、一致する単語データに対応するタイトルを、単語データ記憶部２８から読出す。ここでは、検索ワード「サンマ」と一致する単語データに対応するタイトルである「くりからＴＶ（４ｃｈ）」および「釣り野郎（８ｃｈ）」が読出される。
【００６９】
次に、ステップＳ１２５で、制御部１０は、ステップＳ１２４で読出されたそれぞれのタイトルに対応する映像の１シーンの静止画像を、映像記憶部２４に記憶された映像データから読出す。ここで読出される静止画像は、ステップＳ１２４で読出されたタイトルに対応する映像の１シーンであればどのシーンであってもよい。たとえば、ステップＳ１２４で、映像の開始から所定時間（たとえば、１分）後のシーンを読出すと予め定めておいてもよい。また、検索ワードが含まれるシーンのうちのいずれかの１シーンであってもよい。
【００７０】
そして、ステップＳ１２６で、制御部１０は、ステップＳ１２４で読出されたタイトルと、ステップＳ１２５で読出された静止画像とをそれぞれ表示させるための映像信号を外部のモニタ４０に出力させる。
【００７１】
図４に進んで、ステップＳ１２５で出力される検索画面には、ステップＳ１１１で出力された検索画面に含まれる「検索ワード」という文字と、検索ワード入力欄とに加えて、タイトルを表示するタイトル欄とそのタイトルに対応する１シーンの静止画像とが表示される。
【００７２】
また、この検索画面では、選択候補の映像の静止画像またはタイトル欄が二重枠の状態で表示される。ユーザは、リモコン４２を操作することによって、選択候補の静止画像またはタイトル欄を切替えて、静止画像またはタイトル欄を選択することができる。
【００７３】
図３に戻って、ステップＳ１３１で、制御部１０は、ステップＳ１２６で出力された検索画面において静止画像が選択されたか否かを判断する。静止画像が選択されたと判断した場合（ステップＳ１３１でＹＥＳの場合）、ステップＳ１３２で、制御部１０は、選択された静止画像の映像の再生を最初から開始するように、映像記憶部２４およびデコーダ２２を制御する。その後、制御部１０は、実行する処理をこの検索処理の呼出元の処理に戻す。
【００７４】
一方、静止画像が選択されていないと判断した場合（ステップＳ１３１でＮＯの場合）、ステップＳ１４１で、制御部１０は、タイトル欄が選択されたか否かを判断する。タイトル欄が選択されていないと判断した場合（ステップＳ１４１でＮＯの場合）、制御部１０は、実行する処理をステップＳ１３１に戻す。
【００７５】
一方、タイトル欄が選択されたと判断した場合（ステップＳ１４１でＹＥＳの場合）、ステップＳ１４２で、制御部１０は、ステップＳ１２２で検索した結果に基づいて、検索ワードに一致する単語データが含まれるシーンの静止画像を、映像記憶部２４に記憶された映像データから読出す。そして、ステップＳ１４３で、制御部１０は、ステップＳ１４２で読出された静止画像をそれぞれ表示させるための映像信号を外部のモニタ４０に出力させる。また、ここでは、出力される検索画面に、選択されたタイトルを表示するタイトル欄、および、その静止画像に対応するタイムスタンプが含まれる。
【００７６】
図５は、この発明の実施の形態に従う録画装置１から出力される検索画面の一例を示す第２の表示画面図である。
【００７７】
図５を参照して、ステップＳ１４３で出力される検索画面には、図４の検索画面で表示されたものと同様の「検索ワード」という文字と、検索ワード入力欄とが表示される。また、図５で示される検索画面には、図４の検索画面で選択されたタイトルを表示するタイトル欄と、そのタイトルに対応する検索ワードが含まれるシーンの静止画像と、そのシーンに対応するタイムスタンプとが表示される。
【００７８】
また、この検索画面では、選択候補の映像の静止画像またはタイトル欄が二重枠の状態で表示される。ユーザは、リモコン４２を操作することによって、選択候補の静止画像またはタイトル欄を切替えて、静止画像またはタイトル欄を選択することができる。
【００７９】
図３に戻って、ステップＳ１５１で、制御部１０は、ステップＳ１４３で出力された検索画面において静止画像が選択されたか否かを判断する。静止画像が選択されたと判断した場合（ステップＳ１５１でＹＥＳの場合）、ステップＳ１５２で、制御部１０は、選択された静止画像の所定時間（たとえば、１分）前から映像の再生を開始するように、映像記憶部２４およびデコーダ２２を制御する。その後、制御部１０は、実行する処理をこの検索処理の呼出元の処理に戻す。
【００８０】
一方、静止画像が選択されていないと判断した場合（ステップＳ１５１でＮＯの場合）、ステップＳ１６１で、制御部１０は、タイトル欄が選択されたか否かを判断する。タイトル欄が選択されていないと判断した場合（ステップＳ１６１でＮＯの場合）、制御部１０は、実行する処理をステップＳ１５１に戻す。
【００８１】
一方、タイトル欄が選択されたと判断した場合（ステップＳ１６１でＹＥＳの場合）、ステップＳ１６２で、制御部１０は、選択されたタイトルの映像の再生を最初から開始するように、映像記憶部２４およびデコーダ２２を制御する。その後、制御部１０は、実行する処理をこの検索処理の呼出元の処理に戻す。
【００８２】
以上説明したように、本実施の形態における録画装置１によれば、図２のステップＳ１０２で説明したように、映像データに含まれる音声を認識して複数の単語データが抽出され、ステップＳ１０３で説明したように、抽出された複数の単語データがそれぞれメタデータと対応されて、単語データ記憶部２８に記憶される。
【００８３】
そして、録画装置１によって、図３のステップＳ１２１で説明したように、ユーザから所望の検索ワードの入力が受付けられ、ステップＳ１２２で説明したように、単語データ記憶部２８に記憶された複数の単語データが検索され、ステップＳ１２３で説明したように、受付けられた所望の検索ワードが含まれるか否かが判定され、ステップＳ１２６およびステップＳ１４３で説明したように、所望の検索ワードが含まれると判定された場合、所望の検索ワードが含まれる旨がユーザに報知するために出力される。
【００８４】
このように、ユーザは所望の検索ワードを入力するだけで、録画装置１によって、所望の検索ワードが含まれる旨がユーザに報知するために出力される。その結果、映像に所望の検索ワードが含まれることを効率的に検索することができる。
【００８５】
また、録画像値１によって、ステップＳ１２６およびステップＳ１４３で説明したように、所望の検索ワードが含まれる旨として、所望の検索ワードに対応するメタデータであるタイトルやタイムスタンプがユーザに報知するために出力される。タイムスタンプは、検索ワードが含まれる映像データ内の位置や時間を特定可能なデータである。
【００８６】
このように、所望の検索ワードが映像のどの辺りに含まれるかをユーザに知らせることができる。
【００８７】
また、録画装置１によって、ステップＳ１２６およびステップＳ１４３で説明したように、所望の検索ワードが含まれる旨として、所望の検索ワードが含まれる位置に対応する映像データの部分の静止画像がユーザに報知するために出力される。
【００８８】
その結果、所望の検索ワードが含まれる部分の静止画像をユーザに分かり易く知らせることができる。
【００８９】
さらにまた、録画装置１によって、ステップＳ１５１で説明したように、出力された静止画像の選択がユーザから受付けられ、ステップＳ１５２で説明したように、選択された静止画像の所定時間前から映像データで示される映像が再生される。
【００９０】
このように、ユーザが所望の静止画像を選択するだけで、所望の検索ワードが含まれる静止画像の部分の映像を効率よく再生させることができる。
【００９１】
また、録画装置１によって、図１で説明したように、映像記憶部２４に映像データが複数記憶され、ステップＳ１０３で説明したように、メタデータに含んで、単語データが含まれる映像データを識別可能なタイトルが単語データ記憶部２８に記憶され、ステップＳ１２６およびステップＳ１４３で説明したように、所望の検索ワードが含まれる旨として、所望の検索ワードに対応して単語データ記憶部２８に記憶されているメタデータに含まれるタイトルがユーザに報知するために出力される。
【００９２】
このように、複数の映像データのうちから所望の検索ワードが含まれる映像データのタイトルをユーザに分かり易く知らせることができる。
【００９３】
さらにまた、録画装置１によって、ステップＳ１４１で説明したように、出力されたタイトルの選択がユーザから受付けられ、ステップＳ１４３で説明したように、選択されたタイトルが含まれるメタデータと対応して単語データ記憶部２８に記憶されている所望の検索ワードに対応するメタデータであるタイムスタンプがさらにユーザに報知するために出力される。
【００９４】
このように、所望のタイトルの映像データに含まれる所望の検索ワードに対応するメタデータをユーザに分かり易く知らせることができる。
【００９５】
なお、本実施の形態においては、専用的な装置である録画装置１について説明した。しかし、これに限定されず、コンテンツを記録可能なコンテンツ記録装置であれば他の装置であってもよい。たとえば、パーソナルコンピュータ等の汎用的なコンピュータであってもよい。
【００９６】
また、本実施の形態においては、録画装置１で放送が録画された映像データを扱うようにした。しかし、これに限定されず、扱われるデータは、音声付のコンテンツデータであれば、どのようなデータであってもよい。たとえば、音声のみのコンテンツデータであってもよいし、音声に静止画像のコンテンツが組合わされたものであってもよいし、音声に文字情報が組合わされたものであってもよい。また、扱われるデータは、放送として受信されて録画されたものに限定されず、録画装置１に入力された映像データであってもよい。
【００９７】
なお、音声には、人間の声、動物の鳴き声、音楽、および、効果音などのあらゆる音の種類が含まれる。
【００９８】
また、本実施の形態においては、単語データ記憶部２８に表１で説明した単語データを記憶するようにして、単語データを検索するようにした。しかし、これに限定されず、他の音声に関するデータを記憶するようにして、その音声に関するデータを検索するようにしてもよい。
【００９９】
【表２】
2007013320.tif 000004
【０１００】
表２を参照して、表１の単語データに替えて、発音記号を示すデータを記憶するようにしてもよい。
【０１０１】
【表３】
2007013320.tif 000005
【０１０２】
また、表３を参照して、表１の単語データに替えて、音声の種別、たとえば、人間の声、音楽、無音、または、効果音のいずれかを示すデータを記憶するようにしてもよい。
【０１０３】
【表４】
2007013320.tif 000006
【０１０４】
また、表４を参照して、表１の単語データに替えて、テンポをビートディテクションで判別して、そのテンポを示すデータを記憶するようにしてもよい。
【０１０５】
また、前述した図３で説明した検索処理において、それぞれのステップは、そのステップの後のステップに不都合が生じない限り、それぞれのステップの順序を前後入替えることができる。
【０１０６】
また、本実施の形態においては、録画装置１などのコンテンツ記録装置として発明を説明したが、これに限定されず、録画装置１を含むテレビなどの放送受像装置に本発明を適用することができる。
【０１０７】
また、本実施の形態においては、チューナ１６や復調部１８を含む録画装置１として発明を説明したが、チューナ１６や復調部１８を備えずに、外部から映像データを入力する映像入力端子、または、記録媒体から映像データを読取る外部記憶装置を備え、映像入力端子または外部記憶装置から入力された映像データを取扱うようにしてもよい。
【０１０８】
また、図２および図３で説明した処理を録画装置１で実行するコンテンツ検索制御方法、または、コンテンツ検索プログラムとして発明を捉えることができる。
【０１０９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１１０】
【図１】この発明の実施の形態に従う録画装置の概略構成図である。
【図２】この発明の実施の形態に従う録画装置で実行される単語データ抽出処理の流れを示すフローチャートである。
【図３】この発明の実施の形態に従う録画装置で実行され右検索処理の流れを示すフローチャートである。
【図４】この発明の実施の形態に従う録画装置から出力される検索画面の一例を示す第１の表示画面図である。
【図５】この発明の実施の形態に従う録画装置から出力される検索画面の一例を示す第２の表示画面図である。
【符号の説明】
【０１１１】
１  録画装置、１０  制御部、１０Ａ  ＣＰＵ、１０Ｂ  メモリ、１６  チューナ、１８  復調部、２２  デコーダ、２４  映像記憶部、２６  リモコン受信部、２８  単語データ記憶部、３０  アンテナ、４０  モニタ。
【図１】
2007013320.tif 000007
【図２】
2007013320.tif 000008
【図３】
2007013320.tif 000009
【図４】
2007013320.tif 000010
【図５】
2007013320.tif 000011